(57)【要約】【課題】取扱い易く脱臭効果を永続させることができる脱臭装置付きごみ箱の提供。【解決手段】容器１と、起風用のファン２を有し且つ、容器１内の空気を外面側に導く気体搬送路３と、気体搬送路３内で容器１の外面に配置された光透過部４と、光透過部４に配置された光触媒型脱臭剤５とを有する。【選択図】        図１
2004203500.tif 000002
【特許請求の範囲】
【請求項１】
内部に生ごみが収納される容器(1) と、
起風用のファン(2) を有し、その容器内の空気を外面側に導く気体搬送路(3) と、
その気体搬送路(3) 中で前記容器(1) の外面に配置され、光の透過する光透過部(4) と、
その光透過部(4) 内に配置され、匂い物質を分解する光触媒型脱臭剤(5) と、
を具備する脱臭装置付きごみ箱。
【請求項２】
請求項１において、
前記容器(1) は上端を開口した容器本体(1a)と、その開口を閉塞する上蓋(1b)とからなり、
その上蓋(1b)の外面に前記光触媒型脱臭剤(5) を収容する収容部(6) が設けられ、その収容部(6) が透明板で閉塞されて前記光透過部(4) を構成すると共に、その収納部(6) が前記気体搬送路(3) 中に存在する脱臭装置付きごみ箱。
【請求項３】
請求項２において、
前記上蓋(1b)の上面に、鍋形凹陥部が形成され、その鍋形凹陥部の中心部にモータ(7) を有するファン(2) が配置され、そのファン(2) の上方に前記光触媒型脱臭剤(5) の前記収容部(6) が形成された脱臭装置付きごみ箱。
【請求項４】
請求項２において、
前記上蓋(1b)の上面に、鍋形凹陥部が形成され、その鍋形凹陥部の中心部にモータ(7) を有するファン(2) が配置され、そのモータ付きファン(2) の回りに、透明パイプ(8) が配置され、その透明パイプ(8) 内に前記光触媒型脱臭剤(5) の前記収容部(6) が形成された脱臭装置付きごみ箱。
【請求項５】
請求項１において、
前記容器(1) は、上端を開口した容器本体(1a)と、その開口を閉塞する上蓋(1b)とからなり、
その容器本体(1a)の外周面に透明パイプ(9) が懸回され、その透明パイプ(9) 中に前記光触媒型脱臭剤(5) が収容され、その透明パイプ(9) が前記気体搬送路(3) を構成する脱臭装置付きごみ箱。
【発明の詳細な説明】
【０００１】
【発明の属する技術分野】
本発明は家庭用のごみ箱等の如く、生ゴミを一時保管する脱臭装置付きごみ箱に関する。
【０００２】
【従来の技術】
家庭用のごみ箱の臭気を脱臭するためには、市販されている脱臭剤または芳香剤をごみ箱の裏蓋側に配置し、それによって臭気をある程度抑えることができる。
【０００３】
【発明が解決しようとする課題】
通常の脱臭剤等によるごみ箱内の臭気の脱臭は、時々脱臭剤を取り替える必要がある。即ち、脱臭剤の脱臭効果は長くても２〜３ヶ月程度であるため、度々それを交換する必要があり煩わしいものであった。
そこで本発明は、取扱い易く自然エネルギーを利用して脱臭できる寿命の長い脱臭装置付きごみ箱を提供することを課題とする。
【０００４】
【課題を解決するための手段】
請求項１に記載の本発明は、内部に生ごみが収納される容器(1) と、
起風用のファン(2) を有し、その容器内の空気を外面側に導く気体搬送路(3) と、
その気体搬送路(3) 中で前記容器(1) の外面に配置され、光の透過する光透過部(4) と、
その光透過部(4) 内に配置され、匂い物質を分解する光触媒型脱臭剤(5) と、
を具備する脱臭装置付きごみ箱である。
【０００５】
請求項２に記載の本発明は、請求項１において、
前記容器(1) は上端を開口した容器本体(1a)と、その開口を閉塞する上蓋(1b)とからなり、
その上蓋(1b)の外面に前記光触媒型脱臭剤(5) を収容する収容部(6) が設けられ、その収容部(6) が透明板で閉塞されて前記光透過部(4) を構成すると共に、その収納部(6) が前記気体搬送路(3) 中に存在する脱臭装置付きごみ箱である。
【０００６】
請求項３に記載の本発明は、請求項２において、
前記上蓋(1b)の上面に、鍋形凹陥部が形成され、その鍋形凹陥部の中心部にモータ(7) を有するファン(2) が配置され、そのファン(2) の上方に前記光触媒型脱臭剤(5) の前記収容部(6) が形成された脱臭装置付きごみ箱である。
【０００７】
請求項４に記載の本発明は、請求項２において、
前記上蓋(1b)の上面に、鍋形凹陥部が形成され、その鍋形凹陥部の中心部にモータ(7) を有するファン(2) が配置され、そのモータ付きファン(2) の回りに、透明パイプ(8) が配置され、その透明パイプ(8) 内に前記光触媒型脱臭剤(5) の前記収容部(6) が形成された脱臭装置付きごみ箱である。
【０００８】
請求項５に記載の本発明は、請求項１において、
前記容器(1) は、上端を開口した容器本体(1a)と、その開口を閉塞する上蓋(1b)とからなり、
その容器本体(1a)の外周面に透明パイプ(9) が懸回され、その透明パイプ(9) 中に前記光触媒型脱臭剤(5) が収容され、その透明パイプ(9) が前記気体搬送路(3) を構成する脱臭装置付きごみ箱である。
【０００９】
【発明の実施の形態】
次に、本発明の実施の形態を図面に基づき説明する。
図１は本発明の脱臭装置付きごみ箱の説明図であり、図２はその収容部６に収納される脱臭済ケーシング５ａを示し、図３はその脱臭済ケーシング５ａに収納されるハニカム構造体５ｂを示す。
この脱臭装置付きごみ箱は、その容器１が容器本体１ａとその容器本体１ａの開口を開閉自在に被蔽する上蓋１ｂとからなる。この容器１は、一例として合成樹脂製の成形体で製造することができる。さらには、それを金属材等で製造することもできる。
【００１０】
上蓋１ｂの上面中央には鍋形に凹陥した収容部６が形成され、その収容部６の下部にモータ７を有するファン２が配置され、そのファン２の上方に脱臭済ケーシング５ａを有する光触媒型脱臭剤５が配置されている。
収容部６の上部には複数の吸引口16が形成され、下部には流出口15が形成されている。そして吸引口16の下面側にはモータ７が配置され、上蓋１ｂの周縁に設けられた太陽電池18によってモータ７が駆動される。
脱臭済ケーシング５ａは、この例ではプラスチック或いは金属等の網型容器からなり、その内部にハニカム構造体５ｂが内装される。ハニカム構造体５ｂの表面には匂い物質を分解する光触媒が塗布されている。
【００１１】
このようなハニカム構造体５ｂが脱臭済ケーシング５ａに収納され、上蓋１ｂの収容部６に収納される。そして容器本体１ａに生ゴミ10が収納され、モータ７を駆動することにより、収容部６の上部の吸引口16から容器本体１ａ内の空気が進入し、それが光触媒型脱臭剤５を通過して脱臭され、収容部６の下部の流出口15より内部に還流する。
【００１２】
次に、図４〜図６は本発明の第２の実施の形態を示し、この例は、上蓋１ｂの上面を鍋形に凹陥すると共に、その中心部に平面円形のケーシング17を配置し、その内部にファン２を設けると共に、ファン２をモータ７の回転軸に連結する。
ケーシング17の中心部には入口パイプ14が下方に突設され、それが容器１内部に連通する。モータ７の外周には太陽電池18が配置されると共に、その外側に透明パイプ８が配置されている。そして図５の如く、透明パイプ８の端部とケーイング17とが連通すると共に、透明パイプ８の下面に設けた複数の開口と上蓋１ｂの流出口15とが連通する。そして、太陽電池18によりモータ７を駆動するものである。
【００１３】
また、透明パイプ８には図６の如く光触媒型脱臭剤５が収納されている。そして容器本体１ａ内に生ゴミ10が収納され、モータ７を駆動することにより入口パイプ14から容器本体１ａ内の空気が透明パイプ８を流通し、その間に光触媒型脱臭剤５によって脱臭され、その空気が流出口15から容器本体１ａ内に還流する。
【００１４】
次に、図７は本発明の第３の実施の形態を示し、この例では容器本体１ａ外周に透明パイプ９が螺旋状に巻回されている。そしてその透明パイプ９の一端が容器本体１ａ内に連通する。透明パイプ９の他端は、モータ７を有するファン２を介して外部に開口する。モータ７は太陽電池18に連結されると共に、バッテリ11にも連結されている。そして透明パイプ９内には、光触媒型脱臭剤５が収納されている。
また、容器１の上蓋１ｂには空気流入孔13が形成されている。さらに紫外線ランプ12が透明パイプ９の外周に光を照射するように構成されている。
【００１５】
このようにしてなるごみ箱は、その容器本体１ａに生ゴミ10が収納され、太陽光が利用できる日中においては太陽電池18からの電源でファン２を回転させ、容器１内の空気を透明パイプ９に流通させる。このとき、上蓋１ｂの空気流入孔13より外気が容器本体１ａ内に流入する。そして臭気を含む空気が透明パイプ９内を流通する間に、その内部の光触媒型脱臭剤５により脱臭され外部に放出される。
また、太陽光が利用できない夜間等においては、紫外線ランプ12をバッテリ11により点灯させ、ファン２を回転させることにより透明パイプ９内の空気を光触媒型脱臭剤５によって脱臭することができる。
【００１６】
【発明の作用・効果】
本発明の脱臭装置付きごみ箱は、容器１内の空気を外面側に導く気体搬送路３中に光透過部４を設け、その光透過部４内に光触媒型脱臭剤５を配置し、起風用のファン２により容器１内の空気を気体搬送路３に導くものである。
従って、自然の太陽光を利用して容器内の空気を効果的に脱臭できると共に、寿命の長い脱臭装置付きごみ箱となる。
【００１７】
上記構成において、容器１の上蓋１ｂの外面側に光触媒型脱臭剤５の収容部６を設け、収容部６を透明板で閉塞して光透過部４を構成し且つ、その収容部６に気体搬送路３を連通させることができる。
それにより、コンパクトで取扱性の良い脱臭装置付きごみ箱を提供できる。
【００１８】
上記構成において、容器１の上蓋１ｂの上面を鍋形に凹陥し、その鍋形凹陥部の中心部にモータ７を有するファン２を配置し、そのファン２の上方に光触媒型脱臭剤５の収容部６を設けることができる。
このように構成することにより、さらにコンパクトで取扱性の良い脱臭装置付きごみ箱となる。
【００１９】
上記構成において、容器１の上蓋１ｂの鍋形凹陥部の中心部にモータ７を有するファン２を配置し、そのファン２の回りに透明パイプ８を配置し、透明パイプ８内に光触媒型脱臭剤５の収容部６を設けることができる。
このように構成することにより、上蓋１ｂ全体の厚みを薄くし、取扱性の良い脱臭装置付きごみ箱を提供できる。
【００２０】
上記構成において、容器１の容器本体１ａの外周面に透明パイプ９を巻回し、透明パイプ９中に光触媒型脱臭剤５を収容し、その透明パイプ９を気体搬送路３中に配置することができる。
このようにすることにより、比較的大きな容器本体１ａの外周を有効に利用して脱臭効果の高い脱臭装置付きごみ箱を提供できる。
【図面の簡単な説明】
【図１】本発明の脱臭装置付きごみ箱の説明図。
【図２】同ごみ箱に収納される脱臭済ケーシング５ａの斜視図。
【図３】同ケーシング５ａに収納されるハニカム構造体５ｂの斜視略図。
【図４】本発明の第２の実施の形態を示す脱臭装置付きごみ箱の縦断面説明図。
【図５】同平面図。
【図６】同要部拡大図。
【図７】本発明の第３の実施の形態を示す脱臭装置付きごみ箱の説明図。
【符号の説明】
１  容器
１ａ  容器本体
１ｂ  上蓋
２  ファン
３  気体搬送路
４  光透過部
５  光触媒型脱臭剤
５ａ  脱臭済ケーシング
５ｂ  ハニカム構造体
６  収容部
７  モータ
８  透明パイプ
９  透明パイプ
10  生ゴミ
11  バッテリ
12  紫外線ランプ
13  空気流入孔
14  入口パイプ
15  流出口
16  吸引口
17  ケーシング
18  太陽電池
【図１】
2004203500.tif 000003
【図２】
2004203500.tif 000004
【図３】
2004203500.tif 000005
【図４】
2004203500.tif 000006
【図５】
2004203500.tif 000007
【図６】
2004203500.tif 000008
【図７】
2004203500.tif 000009